(57)【特許請求の範囲】
【請求項１】
ユーザを識別するためのユーザ識別情報および前記ユーザの連絡先を含むユーザ情報を記憶する手段と、
保護対象者が装着可能な装着物に対して割り当てられたコード情報を、ユーザ端末から受信する手段と、
前記ユーザ端末から受信した前記コード情報を、前記ユーザ端末のユーザに対応する前記ユーザ識別情報に対応付けて記憶させる手段と、
前記装着物に割り当てられた前記コード情報を、前記保護対象者を保護する施設の端末から受信する手段と、
前記施設の端末から受信した前記コード情報に対応付けて記憶されている前記ユーザ識別情報に基づいて、当該ユーザ識別情報に対応する前記連絡先を特定する手段と、
前記特定された前記連絡先に基づいて、前記保護対象者が保護されたことを示す保護情報を前記ユーザに通知する手段と、
前記コード情報と前記ユーザ識別情報とを対応付けて記憶させてから所定の期間が経過したときに、当該コード情報を削除する手段と、
を備えること特徴とする保護情報通知装置。
【請求項２】
前記ユーザ情報は、前記ユーザが前記保護対象者として申請する対象者に関する対象者情報をさらに含み、
前記連絡先を特定する手段は、前記ユーザ識別情報に対応する前記対象者をさらに特定し、
前記保護情報は、前記特定された前記対象者に対応する前記対象者情報をさらに含む、
ことを特徴とする請求項１記載の保護情報通知装置。
【請求項３】
保護施設に関する施設情報と当該保護施設に割り当てる前記コード情報との対応関係を記憶する手段を、さらに備えることを特徴とする請求項１又は２記載の保護情報通知装置。
【請求項４】
前記保護情報は、前記施設の端末から受信した前記コード情報に対応する前記施設情報をさらに含む、ことを特徴とする請求項３記載の保護情報通知装置。
【請求項５】
前記連絡先は、前記ユーザ端末にインストールされているアプリケーションを特定するための識別情報であり、
当該アプリケーションは、前記保護情報の通知を受信する機能を有するものである、
ことを特徴とする請求項１〜４のいずれか１項に記載の保護情報通知装置。
【請求項６】
ユーザを識別するためのユーザ識別情報および前記ユーザの連絡先を含むユーザ情報を記憶する記憶装置を有するコンピュータシステムが、
保護対象者が装着可能な装着物に対して割り当てられたコード情報を、ユーザ端末から受信するステップと、
前記ユーザ端末から受信した前記コード情報を、前記ユーザ端末のユーザに対応する前記ユーザ識別情報に対応付けて記憶させるステップと、
前記装着物に割り当てられた前記コード情報を、前記保護対象者を保護する施設の端末から受信するステップと、
前記施設の端末から受信した前記コード情報に対応付けて記憶されている前記ユーザ識別情報に基づいて、当該ユーザ識別情報に対応する前記連絡先を特定するステップと、
前記特定された前記連絡先に基づいて、前記保護対象者が保護されたことを示す保護情報を前記ユーザに通知するステップと、
前記コード情報と前記ユーザ識別情報とを対応付けて記憶させてから所定の期間が経過したときに、当該コード情報を削除するステップと、
を実行することを特徴とする保護情報通知方法。
【発明の詳細な説明】
【技術分野】
【０００１】
本発明は、保護情報通知装置および保護情報通知方法に関する。
【背景技術】
【０００２】
下記特許文献１には、介護施設の入居者の現在位置を検知する徘徊検知システムが開示されている。この徘徊検知システムでは、介護施設の入居者に無線発信器を所持させ、施設の職員に移動無線受信器を所持させたうえで、無線発信器から発信される検知用信号を移動無線受信器で検知することによって入居者の現在位置を検知している。
【先行技術文献】
【特許文献】
【０００３】
【特許文献１】特開２０１４−２３９４０３号公報
【発明の概要】
【発明が解決しようとする課題】
【０００４】
特許文献１に記載の徘徊検知システムは、徘徊している特定の入居者を施設の職員が発見するものであり、例えばショッピングモールやイベント会場等のように、大勢の人が集まる中で突発的に発生する迷子を発見する場合に適用しても、迷子の保護者を迅速に特定したうえで、その特定した保護者に迷子が保護されたことを連絡するのは困難である。また、特許文献１に記載の徘徊検知システムでは、捜索する施設の職員全員が移動無線受信器を所持し、入居者も無線発信器を所持する必要があるため、コストが嵩んでしまう。
【０００５】
本発明は、上述した課題を解決するためになされたものであり、簡易な構成で、保護対象者を保護したときに迅速に保護者に連絡することができる保護情報通知装置および保護情報通知方法を提供することを目的の一つとする。
【課題を解決するための手段】
【０００６】
本発明の一態様である保護情報通知装置は、ユーザを識別するためのユーザ識別情報および前記ユーザの連絡先を含むユーザ情報を記憶する手段と、保護対象者が装着可能な装着物に対して割り当てられたコード情報を、ユーザ端末から受信する手段と、前記ユーザ端末から受信した前記コード情報を、前記ユーザ端末のユーザに対応する前記ユーザ識別情報に対応付けて記憶させる手段と、前記装着物に割り当てられた前記コード情報を、前記保護対象者を保護する施設の端末から受信する手段と、前記施設の端末から受信した前記コード情報に対応付けて記憶されている前記ユーザ識別情報に基づいて、当該ユーザ識別情報に対応する前記連絡先を特定する手段と、前記特定された前記連絡先に基づいて、前記保護対象者が保護されたことを示す保護情報を前記ユーザに通知する手段と、を備える。
【０００７】
前記ユーザ情報は、前記ユーザが前記保護対象者として申請する対象者に関する対象者情報をさらに含み、前記連絡先を特定する手段は、前記ユーザ識別情報に対応する前記対象者をさらに特定し、前記保護情報は、前記特定された前記対象者に対応する前記対象者情報をさらに含む、こととしてもよい。
【０００８】
前記コード情報と前記ユーザ識別情報とを対応付けて記憶させてから所定の期間が経過したときに、当該コード情報を削除する手段を、さらに備えることとしてもよい。
【０００９】
前記保護施設に関する施設情報と当該保護施設に割り当てる前記コード情報との対応関係を記憶する手段を、さらに備えることとしてもよい。
【００１０】
前記保護情報は、前記施設の端末から受信した前記コード情報に対応する前記施設情報をさらに含むこととしてもよい。
【００１１】
前記連絡先は、前記ユーザ端末にインストールされているアプリケーションを特定するための識別情報であり、当該アプリケーションは、前記保護情報の通知を受信する機能を有するものであることとしてもよい。
【００１２】
本発明の一態様である保護情報通知方法は、ユーザを識別するためのユーザ識別情報および前記ユーザの連絡先を含むユーザ情報を記憶する記憶装置を有するコンピュータシステムが、保護対象者が装着可能な装着物に対して割り当てられたコード情報を、ユーザ端末から受信するステップと、前記ユーザ端末から受信した前記コード情報を、前記ユーザ端末のユーザに対応する前記ユーザ識別情報に対応付けて記憶させるステップと、前記装着物に割り当てられた前記コード情報を、前記保護対象者を保護する施設の端末から受信するステップと、前記施設の端末から受信した前記コード情報に対応付けて記憶されている前記ユーザ識別情報に基づいて、当該ユーザ識別情報に対応する前記連絡先を特定するステップと、前記特定された前記連絡先に基づいて、前記保護対象者が保護されたことを示す保護情報を前記ユーザに通知するステップと、を実行する。
【発明の効果】
【００１３】
本発明によれば、簡易な構成で、保護対象者を保護したときに迅速に保護者に連絡することができる。
【図面の簡単な説明】
【００１４】
【図１】実施形態における保護情報通知サーバを含む保護情報通知システムの構成を例示する図である。
【図２】図１に示す保護情報通知サーバの構成を例示する図である。
【図３】迷子になった子供が施設の迷子センターに預けられた場合の手順を説明するためのシーケンス図である。
【図４】子供が迷子になったときに迷子センターに連絡する場合の手順を説明するためのシーケンス図である。
【発明を実施するための形態】
【００１５】
以下、本発明の実施形態について図面を参照しつつ詳細に説明する。なお、同一の要素には同一の符号を付し、重複する説明を省略する。
【００１６】
図１は、本発明の一実施形態に係る保護情報通知サーバ（保護情報通知装置）を含む保護情報通知システムの構成概略図である。同図に示すように、本実施形態における保護情報通知システム１は、保護情報通知サーバ２と、１台以上の施設端末３と、１台以上の保護者端末（ユーザ端末）４とを備える。施設端末３および保護者端末４はそれぞれ、ネットワークＮを介して保護情報通知サーバ２と通信できるように構成される。
【００１７】
施設端末３は、例えばショッピングモールやイベント会場等のように、迷子が発生しやすい施設で利用するＰＣ（パーソナルコンピュータ）である。施設端末３には、バーコードを読み取る１台以上のリーダ３１が接続可能に構成される。施設端末３とリーダ３１との接続は有線であっても無線であってもよい。本実施形態では、例示的に、バーコードを用いて説明するが、バーコードに限定されず、例えば、２次元コード等の他のコード情報を用いることとしてもよい。
【００１８】
ここで、本実施形態では、リストバンドにバーコードを印刷し、そのリストバンドを、保護対象者である子供に装着させる。バーコードを印刷するのはリストバンドに限定されず、子供が装着可能な装着物であれば他のものであってもよい。また、保護対象者は子供に限定されず、例えば、老人や介護が必要な人等のように保護の対象となり得るものであればよい。
【００１９】
保護者端末４は、保護情報通知システム１で提供する保護情報通知サービスに申し込みをした保護者（ユーザ）が使用するスマートフォンであり、保護情報受け取り用のアプリケーション（以下、「保護情報受取アプリ」という。）がインストールされている。保護情報受取アプリは、例えば、以下のような機能を有する。
【００２０】
（１）後述するユーザ情報を保護情報通知サーバ２に登録する機能
【００２１】
（２）保護者端末４に搭載されているバーコードリーダで読み取ったバーコードを保護情報通知サーバ２に送信する機能
【００２２】
（３）保護情報通知サーバ２から送信される保護情報（後述）を表示させる機能
【００２３】
なお、本実施形態では、施設端末３としてＰＣを想定し、保護者端末４としてスマートフォンを想定して説明するが、これに限定されない。施設端末３および保護者端末４として、例えば、ＰＣ、スマートフォン、タブレット端末、携帯電話機、携帯情報端末（ＰＤＡ）、ノートＰＣ、その他の端末装置を適宜用いることができる。
【００２４】
図１に示す保護情報通知サーバ２は、例えば、演算処理能力の高いコンピュータによって構成され、そのコンピュータにおいて所定のサーバ用プログラムが動作することにより、サーバ機能を実現するものである。ここで、保護情報通知サーバ２を構成するコンピュータは、必ずしも１台である必要はなく、ネットワークＮ上に分散する複数のコンピュータから構成されてもよい。
【００２５】
ネットワークＮは、保護情報通知サーバ２と施設端末３と保護者端末４との間で相互に情報を送受信可能な通信網を含む。ネットワークＮは、例えば、インターネット、ＬＡＮ、専用線、電話回線、企業内ネットワーク、移動体通信網、ブルートゥース、ＷｉＦｉ（Wireless Fidelity）、その他の通信回線、それらの組み合わせ等のいずれであってもよく、有線であるか無線であるかを問わない。なお、保護情報通知サーバ２と施設端末３との間のネットワークとして、専用ＶＰＮ（Virtual Private Network）を用いることで、不正アクセスや混線等を効果的に防ぐことが可能となる。
【００２６】
図２に示すように、保護情報通知サーバ２は、例えば、プロセッサ２０と、通信インタフェース２１と、記憶資源２２とを備える。
【００２７】
プロセッサ２０は、算術演算、論理演算、ビット演算等を処理する算術論理演算ユニットおよび各種レジスタから構成され、記憶資源２２に格納されているコンピュータプログラム２２０を実行することで、後述する各種機能を実現する。各種レジスタは、例えば、プログラムカウンタ、データレジスタ、命令レジスタ、汎用レジスタ等である。
【００２８】
通信インタフェース２１は、ネットワークＮに接続し、ネットワークＮ上の他の端末と通信をするためのハードウェアモジュールである。通信インタフェース２１は、例えば、ＩＳＤＮモデム、ＡＤＳＬモデム、ケーブルモデム、光モデム、ソフトモデム等の変調復調装置である。
【００２９】
記憶資源２２は、例えば、物理デバイスの記憶領域が提供する論理デバイスである。物理デバイスは、例えば、ディスクドライブまたは半導体メモリ等のコンピュータ読み取り可能な記録媒体である。記憶資源２２は、複数の物理デバイスを１つの論理デバイスにマッピングして構築してもよいし、１つの物理デバイスを複数の論理デバイスにマッピングして構築してもよい。記憶資源２２には、コンピュータプログラム２２０が記憶される。
【００３０】
記憶資源２２には、コンピュータプログラム２２０のほか、保護情報通知サーバ２の処理に用いられるオペレーティングシステムプログラム、ドライバプログラム、各種データ等が格納される。ドライバプログラムとしては、例えば、通信インタフェース２１を制御するための通信インタフェースドライバプログラム等がある。各種データとしては、例えば、ユーザ情報２２２、施設情報２２３、コード紐付情報２２４等がある。
【００３１】
ユーザ情報２２２は、上述した保護者端末４により登録される情報を格納する。ユーザ情報２２２は、データ項目として、例えば、ユーザＩＤ項目、連絡先項目、子供情報項目等を含む。ユーザＩＤ項目は、ユーザを識別するためのユーザ識別情報を格納する。連絡先項目は、保護情報を通知するために用いる通知先を特定するための情報を格納する。通知先を特定するための情報として、例えば、電話番号、メールアドレス、アプリＩＤ等がある。電話番号およびメールアドレスは、一つに限定せず、優先順位を設ける等して複数格納することとしてもよい。アプリＩＤは、保護情報受取アプリを特定するための識別情報である。
【００３２】
子供情報項目は、ユーザが保護対象者として申請可能な子供に関する情報（以下、「子供情報」ともいう。）を格納する。子供情報として、例えば、複数の子供を判別するための子供番号、生年月日、呼び名等がある。なお、子供情報は、個人情報が特定されない範囲で設定することが好ましい。
【００３３】
ユーザ情報２２２は、例えば、以下の手順で登録することができる。
【００３４】
（１）最初に、保護者端末４が、ユーザの操作指示に従って、保護情報通知アプリを起動し、ユーザ情報登録処理を実行する。
【００３５】
（２）続いて、保護者端末４が、ユーザにより入力されるユーザ情報に関する各データを保護情報通知サーバ２に送信する。
【００３６】
（３）続いて、保護情報通知サーバ２が、保護者端末４から受信した各データを、記憶資源２２のユーザ情報２２２に登録する。
【００３７】
ここで、ユーザ情報登録処理を実行するタイミングは、保護情報通知アプリをインストールした後から、保護情報通知サーバ２に送信するためにリストバンドに印刷されたバーコードを読み取るまでの間であればいつでもよい。
【００３８】
施設情報２２３は、施設に関する情報を格納する。施設情報２２３は、データ項目として、例えば、施設ＩＤ項目、施設名称項目、バーコード割当情報項目等を含む。施設ＩＤ項目は、施設を特定するための識別情報を格納する。施設名称項目は、施設の名称を格納する。バーコード割当情報項目は、保護情報通知システム１全体で管理するバーコードのうち、その施設に割り当てられたバーコードを特定する情報（例えば、バーコードの管理番号（管理番号の範囲指定を含む））を格納する。
【００３９】
施設情報２２３のバーコード割当情報項目は、例えば、以下の手順で登録することができる。
【００４０】
（１）最初に、施設端末３が、施設の担当者の操作指示に従って、リストバンドの配送申請を保護情報通知サーバ２に送信する。
【００４１】
（２）続いて、保護情報通知サーバ２が、システムの担当者の操作指示に従って、配送申請を送信した施設に割り当てるバーコードの管理番号を、施設情報２２３のバーコード割当情報項目に格納する。
【００４２】
この後、システムの担当者等が、施設に割り当てたバーコードが印刷されたリストバンドを施設に発送し、施設の担当者がリストバンドを受け取る。
【００４３】
コード紐付情報２２４は、バーコードに紐付けたユーザを特定する情報を格納する。コード紐付情報２２４は、データ項目として、例えば、ユーザＩＤ項目、バーコード項目を含む。ユーザＩＤ項目は、保護情報受取アプリを利用してバーコードを保護情報通知サーバ２に送信したユーザのユーザＩＤを格納する。バーコード項目は、保護情報受取アプリを利用して保護情報通知サーバ２に送信したバーコードの管理番号を格納する。コード紐付情報２２４により、バーコードとユーザ情報２２２とが対応付けられることとなり、バーコードに基づいてユーザの連絡先を特定することが可能となる。
【００４４】
コード紐付情報２２４は、例えば、以下の手順で登録することができる。
【００４５】
（１）最初に、ユーザおよび子供が施設に来場し、リストバンドを購入する。
【００４６】
（２）続いて、保護者端末４が、ユーザの操作指示に従って、保護情報通知アプリを起動し、リストバンドに印刷されたバーコードを読み取り、保護情報通知サーバ２に送信する。保護情報通知アプリを起動することで、保護情報通知サーバ２は、保護者端末４のユーザに対応するユーザＩＤを認識することが可能となる。保護情報通知アプリは、起動後に、起動したままにしておくこととしてもよいし、起動を停止させることとしてもよい。
【００４７】
（３）続いて、保護情報通知サーバ２が、保護者端末４から受信したバーコードと保護者端末４に対応するユーザＩＤとを対応付けて記憶資源２２のコード紐付情報２２４に登録する。保護情報通知サーバ２は、コード紐付情報２２４への登録が成功した場合に、成功通知を保護者端末４に送信することとしてもよい。また、登録が失敗した場合には、成功するまで繰り返しリトライすることとしてもよい。
【００４８】
ここで、コード紐付情報２２４のバーコード項目に登録されたバーコードの管理番号は、登録後、所定の期間が経過したときに、削除される。これにより、バーコードを利用してユーザ情報を参照できる期間を限定することができる。所定の期間として、例えば、当日限り、イベントの開催期間等のように、保護者が保護対象者の保護を要請する必要十分な期間を適宜設定することができる。
【００４９】
なお、上述したユーザ情報２２２、施設情報２２３、コード紐付情報２２４等を記憶するデータベースの構成、ならびに各情報に含まれるデータ項目の組み合わせは、あくまでも例示に過ぎず、データベース構成やデータ項目の組み合わせは、運用するシステムに合わせて適宜変更することができる。
【００５０】
図２に示すコンピュータプログラム２２０は、所定の処理を行うためのプログラムであり、保護情報通知サーバ２のメインプログラムの動作中に適宜呼び出されて実行される複数のソフトウェアモジュールを備える。このソフトウェアモジュールは、それぞれ特定の処理を実行するためにモジュール化されたサブプログラムであり、例えば、プロシージャ、サブルーチン、メソッド、関数およびデータ構造等を用いて作成される。
【００５１】
コンピュータプログラム２２０は、例示的に、保護情報処理モジュール２２１を有する。この保護情報処理モジュール２２１を実行することで実現する主な機能として、以下のものがある。
【００５２】
保護情報処理モジュール２２１は、保護情報通知アプリをインストールした保護者端末４との間で実行されるユーザ情報登録処理に従い、保護者端末４から入力されるデータを、ユーザ情報２２２に登録する。
【００５３】
保護情報処理モジュール２２１は、子供に装着させるリストバンドを取得したユーザの保護者端末４により読み取られたバーコードを、保護者端末４から受信する。
【００５４】
保護情報処理モジュール２２１は、保護者端末４から受信したバーコードと保護者端末４に対応するユーザＩＤとを対応付けてコード紐付情報２２４に登録する。
【００５５】
保護情報処理モジュール２２１は、リーダ３１により読み取られたバーコードを施設端末３から受信する。
【００５６】
保護情報処理モジュール２２１は、施設端末３から受信したバーコードに対応付けて記憶されているユーザＩＤに基づいて、そのユーザＩＤに対応する連絡先および子供を特定する。
【００５７】
保護情報処理モジュール２２１は、特定した連絡先に基づいて、子供が施設に保護されたことを示す保護情報をユーザに通知する。ユーザに通知する手段として、例えば、電話、メール、デスクトップアプリケーション、ウェブアプリケーションを利用することができる。本実施形態では、例示的にデスクトップアプリを利用する場合について説明する。
【００５８】
次に、図３を参照して、迷子になった子供が施設の迷子センターに預けられた場合の手順について説明する。
【００５９】
最初に、迷子センターに預けられた子供に装着されているリストバンドのバーコードを、施設端末３に接続するリーダ３１で読み取る（ステップＳ１０１）。
【００６０】
続いて、施設端末３は、リーダ３１で読み取ったバーコードを、保護情報通知サーバ２に送信する（ステップＳ１０２）。
【００６１】
続いて、保護情報通知サーバ２の保護情報処理モジュール２２１は、受信したバーコードに対応するユーザＩＤをコード紐付情報２２４から抽出し、抽出したユーザＩＤに基づいてユーザ情報２２２を参照し、ユーザの連絡先を特定する（ステップＳ１０３）。
【００６２】
続いて、保護情報通知サーバ２の保護情報処理モジュール２２１は、上記ステップＳ１０３で特定した連絡先に基づいて、子供が迷子センターに保護されたことを示す保護情報を保護者端末４に送信する（ステップＳ１０４）。
【００６３】
続いて、保護者端末４は、保護情報をディスプレイ上に表示する（ステップＳ１０５）。これにより、保護情報を確認したユーザは、迷子になった子供を迷子センターに迎えに行くことができる。ここで、迷子センターの場所を示す地図にリンクさせるリンク情報を、保護情報に埋め込んでおき、そのリンク情報に基づいて迷子センターを示す地図にアクセスさせることとしてもよい。
【００６４】
また、上記ステップＳ１０４において、保護情報通知サーバ２の保護情報処理モジュール２２１は、保護情報の送信が成功するまで保護情報の送信をリトライすることとしてもよい。さらに、リトライする際に、保護情報の連絡先を、ユーザ情報２２２に設定した優先順位にしたがって変更することとしてもよい。
【００６５】
ここで、保護情報通知サーバ２が、保護情報の未読／既読を確認できるように、保護情報受取アプリに保護情報の未読／既読を外部に提供する機能を設けることとしてもよい。この場合、ユーザ情報２２２の連絡先項目に、保護情報受取アプリのアプリＩＤを格納しておくことで、保護情報通知サーバ２は、保護情報を保護情報受取アプリに送信し、送信した保護情報が未読である間、保護情報の送信をリトライすることが可能となる。
【００６６】
また、保護情報が所定期間未読である場合に、保護情報通知サーバ２は、保護情報が既読にならない旨のメッセージを施設端末３に送信することとしてもよい。
【００６７】
次に、図４を参照して、子供が迷子になったときに迷子センターに連絡する場合の手順について説明する。
【００６８】
最初に、保護者端末４は、ユーザの操作指示に従って、保護情報通知アプリを起動し、迷子になった子供の子供番号（子供を特定する情報）を保護情報通知サーバ２に送信する（ステップＳ２０１）。
【００６９】
続いて、保護情報通知サーバ２の保護情報処理モジュール２２１は、保護者端末４のユーザＩＤおよび子供番号に対応する子供情報をユーザ情報２２２から抽出する（ステップＳ２０２）。
【００７０】
続いて、保護情報通知サーバ２の保護情報処理モジュール２２１は、保護者端末４のユーザＩＤに対応するバーコードをコード紐付情報２２４から抽出し、抽出したバーコードに基づいて施設情報２２３を参照し、施設を特定する（ステップＳ２０３）。
【００７１】
続いて、保護情報通知サーバ２の保護情報処理モジュール２２１は、上記ステップＳ２０２で抽出した子供情報に基づいて迷子情報を生成し（ステップＳ２０４）、その迷子情報を、上記ステップＳ２０３で特定した施設の施設端末３に送信する（ステップＳ２０５）。
【００７２】
これにより、迷子情報を受信した施設で、例えば場内アナウンスを流す等して迷子を捜索する。
【００７３】
上述したように、実施形態における保護情報通知システム１によれば、保護情報通知サーバ２が、ユーザを識別するためのユーザＩＤおよびユーザの連絡先を含むユーザ情報２２２を記憶し、保護対象者である子供が装着可能なリストバンドに印刷され、かつ保護施設に対応付けて管理されるバーコードを、保護者端末４から受信し、その保護者端末４から受信したバーコードを、保護者端末４のユーザに対応するユーザＩＤに対応付けてコード紐付情報２２４に記憶させ、リストバンドに印刷されたバーコードを保護施設の施設端末３から受信し、その施設端末３から受信したバーコードに対応付けて記憶されているユーザＩＤに基づいて、そのユーザＩＤに対応する連絡先を特定し、その特定した連絡先に基づいて、保護対象者である子供が施設に保護されたことを示す保護情報をユーザに通知することができる。
【００７４】
これにより、実施形態における保護情報通知システム１によれば、簡易な構成で、保護対象者を保護したときに迅速に保護者に連絡することが可能となる。
【００７５】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理（ステップ）は処理内容に矛盾を生じない範囲で任意に順番を変更し、または並列に実行することができる。
【００７６】
上述した実施形態では、リーダ３１で読み取ったバーコードを、施設端末３から保護情報通知サーバ２に送信しているが、これに限定されず、リーダ３１（施設の端末）で読み取ったバーコードを、リーダ３１から保護情報通知サーバ２に送信することとしてもよい。
【符号の説明】
【００７７】
１…保護情報通知システム
２…保護情報通知サーバ
３…施設端末
４…保護者端末
２０…プロセッサ
２１…通信インタフェース
２２…記憶資源
３１…リーダ
２２０…コンピュータプログラム
２２１…保護情報処理モジュール
２２２…ユーザ情報
２２３…施設情報
２２４…コード紐付情報
Ｎ…ネットワーク
【図１】
0006636783.tif 000002
【図２】
0006636783.tif 000003
【図３】
0006636783.tif 000004
【図４】
0006636783.tif 000005